(57)【要約】      （修正有）【課題】磁気固定及びコネクターを提供する。【解決手段】第１磁気部１０１を備える第１構成要素１００、第２構成要素１０２及び第２磁気部１０６を備える第３構成要素１０３を含む機構であって、第３構成要素１０３は、第１構成要素１００に対して移動可能であり、ここで、接続時に、第１及び第２の構成要素１００、１０２は、与えられた方向で互いに対して移動することができる。機構は更に、第１及び第２の構成要素１００、１０２の相対的な移動の結果として第１構成要素１００に対する第３構成要素１０３の移動を防ぎ、それにより、第１及び第２の構成要素１００、１０２の意図しない分離を防ぐための、第１構成要素１００との係合のための第４構成要素１０４を含む。【選択図】図３９
2020092268.tif 000002
【特許請求の範囲】
【請求項１】
第１磁気部（１０１）を備える第１構成要素（１００）；
第２構成要素（１０２）；
第２磁気部（１０６）を備える第３構成要素（１０３）であって、該第３構成要素（１０３）は、第１及び第２の磁気部の相互作用を引き起こすことにより、第１及び第２の構成要素の接続及び／又は分離を達成するための与えられた方向で、前記第１構成要素に対して移動自在であり、ここで、接続時に、第１及び第２の構成要素は、前記与えられた方向で互いに対して移動することができる、第３構成要素（１０３）；及び
第４構成要素（１０４）であって、該第４構成要素（１０４）は、第１及び第２の構成要素の相対的な移動の結果として第１構成要素（１００）に対する第３構成要素（１０３）の移動を防ぎ、それにより、第１及び第２の構成要素の意図しない分離を防ぐための、前記第１構成要素（１００）との係合のためのものである、第４構成要素（１０４）
とを含む、機構。
【請求項２】
前記与えられた方向は回転方向である、ことを特徴とする請求項１に記載の機構。
【請求項３】
前記第４構成要素（１０４）は、前記第２構成要素（１０２）が回転できる軸を設ける、ことを特徴とする請求項２に記載の機構。
【請求項４】
前記第３構成要素（１０３）は、前記第４構成要素（１０４）の内部に同心的に位置付けられ、前記第４構成要素（１０４）は、前記第２構成要素（１０２）の内部に同心的に位置付けられる、ことを特徴とする請求項２又は３に記載の機構。
【請求項５】
前記第４構成要素は、前記第２構成要素が回転できる円筒を設ける、ことを特徴とする請求項２に記載の機構。
【請求項６】
第３又は第４の構成要素は、第１構成要素に接続され、第３又は第４の構成要素が第１及び第２の構成要素をまたぐ時、第１及び第２の構成要素の内部、又はその周囲で摺動する、ことを特徴とする請求項１に記載の機構。
【請求項７】
磁気部の１つは、他の磁気部の内部、又はその周囲で摺動し、機構は更に、磁気部が係合されると、摺動する磁気部が第５構成要素及び他の磁気部をまたぐように、摺動する磁気部のためのガイドとして作用する第５構成要素を含む、ことを特徴とする請求項１に記載の機構。
【請求項８】
前記与えられた方向は直線方向である、ことを特徴とする請求項１に記載の機構。
【請求項９】
前記第４構成要素は、前記第２構成要素と前記第３構成要素の間に位置づけられ、前記与えられた方向に略垂直な方向での、前記第１構成要素に対する移動により、前記第１構成要素と係合するよう構成される、ことを特徴とする請求項８に記載の機構。
【請求項１０】
前記第１部品及び磁気部の１つ又は両方は、複数の反対に配向したダイポールを含む、ことを特徴とする請求項１乃至９の何れかに記載の機構。
【請求項１１】
磁気部の少なくとも１つは、磁気部の前記相互作用により、第３構成要素が第１構成要素に機械的に固定される位置への、ガイドに沿った磁気部の移動が生じるように、ガイドによって移動自在に保持される、ことを特徴とする請求項１乃至９の何れかに記載の機構。
【請求項１２】
前記第１磁気部は、前記第４構成要素と前記第１構成要素を係合するために、第２磁気部の効果の下、第１構成要素に対して移動自在である、ことを特徴とする請求項１乃至９の何れかに記載の機構。
【請求項１３】
請求項２に付随して、移動自在な磁気部は、回転軸線と略平行、又は略垂直な方向に移動自在である、ことを特徴とする請求項１１又は１２に記載の機構。
【請求項１４】
前記与えられた方向での前記相対的な移動により、第１及び第３の構成要素を互いにロック及びアンロックするための機械的ロックを更に含む、請求項１に記載の機構。
【請求項１５】
前記機械的ロックは：
クリップ、及び、第１及び第３の構成要素上に形成されるクリップ係合機能；
第１及び第３の構成要素上に形成される相互係合レール；
前記磁気部の１つが移動自在な方向とは異なる方向に移動自在な、更なる磁気構成要素
の１以上を含む、ことを特徴とする請求項１４に記載の機構。
【請求項１６】
前記第４構成要素は、前記第１部品に対する移動のために前記第１磁気部に固定される、ことを特徴とする請求項１に記載の機構。
【請求項１７】
磁気部の相互作用の結果として第３構成要素の移動は、同じ方向に第４構成要素の連なった移動を結果としてもたらす、ことを特徴とする請求項１に記載の機構。
【請求項１８】
磁気部の相互作用の結果として第３構成要素の移動は、同じ方向に第４構成要素の連なった移動を結果としてもたらさない、ことを特徴とする請求項１に記載の機構。
【請求項１９】
前記第４構成要素は、前記第２構成要素が前記与えられた方向で前記第４構成要素に対して移動できるように、前記第２構成要素に固定される、ことを特徴とする請求項１に記載の機構。
【請求項２０】
前記第１及び第４の構成要素は、与えられた方向での相対的な移動を妨げるための、相互係合機械的機能を含む、ことを特徴とする請求項１に記載の機構。
【請求項２１】
第１及び第２の部品を含む装置であって、第１部品は、少なくとも２つの固定位置にて第２部品に取り付けられ、前記装置は、前記位置の１つに固定を設けるために請求項１乃至２０の何れかに記載の機構を含む、装置。
【請求項２２】
前記位置の両方に固定を設けるために、前記機構の２つを含む、ことを特徴とする請求項１９に記載の装置。
【請求項２３】
部品のキットであって、該キットは、与えられた方向での相対的な移動によって共に構成要素の機械的な接続を可能にするよう構成される第１及び第２の構成要素を含み、その結果、第１及び第２の構成要素は、１以上の方向で互いに対して移動することができないが、１以上の他の方向で自由に移動し、前記部品のキットは更に、固定された磁気部を備える第３のロック構成要素を含み、該第３構成要素は、第１及び第２の構成要素と係合し、それにより前記磁気部が、前記他の方向の少なくとも１つでの第１及び第２の構成要素の相対的な移動を妨げるために、第１及び第２の構成要素の１つ又は両方の上の磁気部と相互作用するように構成される、キット。
【請求項２４】
前記機械的な接続は、原位置の第３のロック構成要素無しで、前記第１及び第２の構成要素が共に機械的に保持され得るようなものである、ことを特徴とする請求項２３に記載の部品のキット。
【請求項２５】
前記第１及び第２の構成要素は、第１及び第２の構成要素が共に相対的に摺動することにより、前記機械的な接続を可能にするよう構成される、ことを特徴とする請求項２３又は２４に記載の部品のキット。
【請求項２６】
構成要素は、前記磁気相互作用が、第１及び第２の構成要素に対する第３構成要素の直線及び回転式の移動の１つによって引き起こされるように構成される、ことを特徴とする請求項２３乃至２５の何れかに記載の部品のキット。
【請求項２７】
磁気部の１以上は、複数の反対に配向したダイポールを含む、ことを特徴とする請求項２３乃至２６の何れかに記載の部品のキット。
【請求項２８】
磁気部の少なくとも１つは、磁気部の前記相互作用により、第３のロック構成要素が第１及び第２の構成要素の１つ又は両方に機械的に固定される位置への、ガイド内での磁気部の移動が生じるように、ガイド内で移動自在に保持される、ことを特徴とする請求項２３乃至２７の何れかに記載の部品のキット。
【請求項２９】
互いに対して第１及び第２の構成要素をロック及びアンロックするための更なる機械的ロックを含む、ことを特徴とする請求項２３に記載の部品のキット。
【請求項３０】
前記機械的ロックは：
クリップ、及び、第１及び第３の構成要素上に形成されるクリップ係合機能；
第１及び第３の構成要素上に形成される相互係合レール；
前記磁気部の１つが移動自在な方向とは異なる方向に移動自在な、更なる磁気構成要素
の１以上を含む、ことを特徴とする請求項２３に記載の機構。
【請求項３１】
第１及び第２の部品を含む装置であって、第１部品は、少なくとも２つの固定位置にて第２部品に取り付けられ、前記装置は、前記位置の１つに固定を設けるために請求項２３乃至３０の何れかに記載の部品のキットを含む、装置。
【請求項３２】
前記位置の両方に固定を設けるために、前記部品のキットの２つを含む、ことを特徴とする請求項３１に記載の装置。
【請求項３３】
第１及び第２の構成要素を含む機構であって、該第１及び第２の構成要素は、第１直線方向での構成要素の相対的な摺動により構成要素を共に機械的に接続及び分離することを可能にするように構成され、前記第１及び第２の構成要素の各々は、第１及び第２の構成要素を共に固定する及び／又は解放するために、他の磁気部の影響下で、前記第１直線方向に略垂直な第２方向でガイド内又はその周囲で移動自在なものの少なくとも１つにて磁気部を含み、ここで、固定状態において、前記第１及び第２の直線方向に略垂直な第３直線方向での分離が妨げられる、機構。
【請求項３４】
前記第１及び第２の構成要素の各々は、前記第１直線方向にて整合される、対応する複数の磁気部を含む、ことを特徴とする請求項３３に記載の機構。
【請求項３５】
第１及び第２の部品を含む装置であって、第１部品は、少なくとも２つの固定位置にて第２部品に取り付けられ、前記装置は、前記位置の１つに固定を設けるために請求項３３又は３４に記載の機構を含む、装置。
【請求項３６】
前記位置の両方に固定を設けるために、前記機構の２つを含む、ことを特徴とする請求項３５に記載の装置。
【請求項３７】
第１及び第２の構成要素であって、該第１及び第２の構成要素は、第１構成要素上の複数の異なる位置において第２構成要素の第１構成要素への機械的な接続及び分離を可能にするように構成され、各々の位置は、第１構成要素における各第１ガイドによって画成される、第１及び第２の構成要素；及び
第３のロック構成要素であって、該第３のロック構成要素は、第１部品に対して第２及び第３部品を固定するために、前記第１ガイドの１つへの磁気部の１つの移動を引き起こすよう、第２部品上の磁気部を相互作用するための磁気部を備える、第３のロック構成要素
とを含む、機構。
【請求項３８】
前記構成要素は、前記第２構成要素について異なる位置における移動の異なる自由度を促進するように構成される、ことを特徴とする請求項３７に記載の機構。
【請求項３９】
前記異なる位置は、異なる断面形状を備える各第１ガイドによって画成される、ことを特徴とする請求項３８に記載の機構。
【請求項４０】
互いに対して第１及び第２の構成要素をロック及びアンロックするための更なる機械的ロックを含む、ことを特徴とする請求項３７乃至３９の何れかに記載の機構。
【請求項４１】
前記与えられた方向での前記相対的な移動により、第１及び第３の構成要素を互いにロック及びアンロックするための機械的ロックを更に含む、請求項４０に記載の機構。
【請求項４２】
前記機械的ロックは：
クリップ、及び、第１及び第３の構成要素上に形成されるクリップ係合機能；
第１及び第３の構成要素上に形成される相互係合レール；
前記磁気部の１つが移動自在な方向とは異なる方向に移動自在な、更なる磁気構成要素
の１以上を含む、ことを特徴とする請求項４１に記載の機構。
【請求項４３】
磁気部の１以上は、複数の反対に配向したダイポールを含む、ことを特徴とする請求項４２に記載の機構。
【請求項４４】
第１及び第２の部品を含む装置であって、第１部品は、少なくとも２つの固定位置にて第２部品に取り付けられ、前記装置は、前記位置の１つに固定を設けるために請求項３７乃至４３の何れかに記載の機構を含む、装置。
【請求項４５】
前記位置の両方に固定を設けるために、前記機構の２つを含む、ことを特徴とする請求項４４に記載の装置。
【請求項４６】
第１及び第２の構成要素であって、該第１及び第２の構成要素は、接続部を形成するために第１直線方向での構成要素の相対的な動作によって、構成要素を共に機械的に接続することを可能にするように構成され、それにより、接続時に構成要素は、前記第１直線方向に略垂直な第２直線方向で分離することができない、第１及び第２の構成要素；及び
第１及び第２の構成要素それぞれの周囲に位置付け自在な第１及び第２のカラー部であって、第１及び第２のカラー部は各々、接続部の周囲でのカラー部の相対的な回転により、磁気部が接続部の周囲でカラー部と相互作用し且つロックし、それにより、前記第１直線方向での第１及び第２の構成要素の相対的な移動を妨げるように構成される、磁気部と共に設けられる、第１及び第２のカラー部
とを含む機構。
【請求項４７】
磁気部の１以上は、複数の反対に配向したダイポールを含む、ことを特徴とする請求項４６に記載の機構。
【請求項４８】
第１及び第２のカラー部の両方は、カラー部の係合の前に第１及び第２の構成要素それぞれの周囲で自由に回転自在である、ことを特徴とする請求項４６又は４７に記載の機構。
【請求項４９】
第１及び第２のカラー部の１つ又は両方は、第１及び第２の構成要素それぞれに対して回転することを妨げられる、ことを特徴とする請求項４６又は４８に記載の機構。
【請求項５０】
第１及び第２の部品を含む装置であって、第１部品は、少なくとも２つの固定位置にて第２部品に取り付けられ、前記装置は、前記位置の１つに固定を設けるために請求項４６乃至４９の何れかに記載の機構を含む、装置。
【請求項５１】
前記位置の両方に固定を設けるために、前記機構の２つを含む、ことを特徴とする請求項５０に記載の装置。
【請求項５２】
複数の第１及び第２の構成要素を使用して構成される構造であって、構成要素の各々は、請求項４６乃至５１の何れかに記載の機構を使用して、共に接続される、構造。
【請求項５３】
磁気部の１以上は、複数の反対に配向したダイポールを含む、ことを特徴とする請求項５２に記載の構造。
【請求項５４】
各々複数の磁気部を含む第１及び第２の構成要素であって、該磁気部は、第１及び第２の構成要素上の１対の対向する磁気部が、第１直線方向での第１及び第２の構成要素の相対的な移動による配置へと、及び該配置の外に移動されると、各１対の磁気部の１つは、他の構成要素において形成されるガイドへと、関連する構成要素において形成されるガイド内又はその周囲で移動させられるように構成される、第１及び第２の構成要素；
前記第１及び第２の直線方向に略垂直な第３方向における構成要素の分離を妨げるために、前記第１直線方向に略垂直な第２直線方向で磁気部を移動させるように構成されている少なくとも１つの対、及び、前記第２直線方向における構成要素の分離を妨げるために前記第３直線方向に磁気部を移動させるように構成される、少なくとも１つの対
とを含む、機構。
【請求項５５】
第１及び第２の構成要素の各々は、工程特性の重複により構成要素の架台を可能にする工程特性を備え、磁気部は、工程特性のライザー及び平面の両方に沿って配置される、ことを特徴とする請求項５４に記載の機構。
【請求項５６】
第１及び第２の部品を含む装置であって、第１部品は、少なくとも２つの固定位置にて第２部品に取り付けられ、前記装置は、前記位置の１つに固定を設けるために請求項５４又は５５に記載の機構を含む、装置。
【請求項５７】
前記位置の両方に固定を設けるために、前記機構の２つを含む、ことを特徴とする請求項５６に記載の装置。
【請求項５８】
磁気部の１以上は、複数の反対に配向したダイポールを含む、ことを特徴とする請求項５６又は５７に記載の装置。
【請求項５９】
ロッドを両端部で支持フレームに取り付けるための機構であって、該機構は、ロッドの各端部に関して；
フレーム又はロッドの端部への接続のための固定部であって、該固定部は、ロッドの軸方向において摺動自在であるが、接続されるフレーム又はロッドに対して回転自在ではない、固定部；
固定部に接続される第１磁気部；及び
固定部が接続されないフレーム又はロッドの他方への接続のための第２磁気部
を含み、
第１及び第２の磁気部は、使用時に、フレームに対するロッドの回転が、磁気構成要素の相互作用を引き起こし、固定部を摺動させて、固定部が接続されないフレーム又はロッドの他方との係合をもたらす
こと特徴とする、機構。
【請求項６０】
前記固定部は、ロッドの端部の上を摺動するように大きさを調整したカラーを含む、ことを特徴とする請求項５９に記載の機構。
【請求項６１】
各前記磁気部は、複数の反対に配向したダイポールを含む、ことを特徴とする請求項５９又は６０に記載の機構。
【請求項６２】
ロッドを両端部で支持フレームに取り付けるための機構であって、該機構は、ロッドの各端部に関して；
フレーム又はロッドの端部への接続のための固定部であって、該固定部は、ロッドの軸方向において摺動自在である、固定部；
固定部に接続される第１磁気部；及び
固定部が接続されないフレーム又はロッドの他方への接続のための第２磁気部
を含み、
第１及び第２の磁気部は、使用時に、与えられた方向でのフレームに対するロッドの回転が、磁気構成要素の相互作用を引き起こし、固定部を摺動させて、固定部が接続されないフレーム又はロッドの他方との係合をもたらし、係合又は分離を逆にするための機械的相互作用を引き起こす反対方向で回転させるように、構成される
こと特徴とする機構。
【請求項６３】
第１構成要素と、第１構成要素に取り付けられる第２構成要素とを含む装置であって、該装置は更に、第１構成要素を第２構成要素に解放自在に固定するための機構を含み、その結果、固定時に、第２構成要素は第１構成要素に対して内外に移動することを妨げられ、及び非固定時に、第２構成要素は第１構成要素中又はその上に形成される少なくとも１つのトラックに沿って、第１構成要素に対して内外に移動することができ、前記機構は、第１構成要素に結合される第１磁気部と、第２構成要素に結合される第２磁気部とを含み、これら部品は、第１構成要素に対する第２構成要素の回転又は摺動が、磁気部の相互作用に、固定位置と非固定位置との間で第２構成要素を移動させる、ことを特徴とする装置。
【請求項６４】
前記第１構成要素はフレームであり、前記第２構成要素は箱、又はフレーム内に取り付けられるドロアである、ことを特徴とする請求項６３に記載の装置。
【請求項６５】
磁気構成要素の相互作用が、他の磁気構成要素が位置する対応するガイドへと、及びその外へと、ガイドに沿って磁気部を移動させ、それにより、第１構成要素内で第２構成要素を機械的にロックし、一方で第２構成要素の相対的な回転を可能にするように、前記第１及び第２の磁気部の少なくとも１つは、ガイド内に移動自在に位置づけられる、ことを特徴とする請求項６３又は６４に記載の装置。
【請求項６６】
第１構成要素；
第２構成要素；
第１直線方向における構成要素の相対摺動によって２つの構成要素の係合を可能にするための、第１及び第２の構成要素上に設けられる相補的特徴；
第１及び第２の磁気部であって、該第１及び第２の磁気部は、第２直線方向における２つの磁気部の相対的運動が、前記第１直線方向における２つの構成要素の摺動動作を妨げる又は可能にするよう相互に作用するように構成される、第１及び第２の磁気部
とを含む、機構。
【請求項６７】
第１及び第２の部品を含む装置であって、第１部品は、少なくとも２つの固定位置にて第２部品に取り付けられ、前記装置は、前記位置の１つに固定を設けるために請求項６６に記載の機構を含む、装置。
【請求項６８】
前記位置の両方に固定を設けるために、前記機構の２つを含む、ことを特徴とする請求項６７に記載の装置。
【請求項６９】
第１磁気部を含む第１構成要素；
第１構成要素に結合するための第２構成要素であって、その結果、該第２構成要素は、与えられた方向で第１構成要素に対して自由に移動することができる、第２構成要素；
第１及び第２の構成要素を共に結合するための第３構成要素であって、該第３構成要素は、２つの磁気部の相互作用が、第１及び第２の構成要素を結合及び／又は分離するように第１磁気部に対して移動自在である、第２磁気部を含む、第３構成要素；及び
第１及び第３の構成要素上の相互係合機械的機能であって、該特徴は、第１及び第２の構成要素の分離を妨げるために、前記与えられた方向で第１及び第３の構成要素の相対的移動を妨げるように協働する、相互係合機械的機能
とを含む、機構。
【請求項７０】
請求項６９に記載の機構を含む、ヒンジ。
【発明の詳細な説明】
【技術分野】
【０００１】
本発明は、磁石の固定及びコネクターに関する。
【背景技術】
【０００２】
様々な磁気固定の配置が、以下の文書：ＵＳ２０１１／００１０２５、ＰＣＴ／ＥＰ２０１２／０５９８７０、ＤＥ１４５３２５、ＵＳ３５９６９５８に記載される。
【発明の概要】
【０００３】
本発明の第１の態様に従い、第１磁気部を備える第１構成要素、第２構成要素、第２磁気部を備える第３構成要素、を含む機構が提供され、第３構成要素は、第１及び第２の磁気部の相互作用を引き起こすことにより、第１及び第２の構成要素の接続及び／又は分離を達成するための与えられた方向で、前記第１構成要素に対して移動自在であり、ここで、接続時に、第１及び第２の構成要素は、前記与えられた方向で互いに対して移動することができる。機構は更に、第１及び第２の構成要素の相対的な移動の結果として第１構成要素に対する第２構成要素の移動を防ぎ、それにより、第１及び第２の構成要素の意図しない分離を防ぐために、前記第１構成要素との係合のための第４構成要素を含む。
【０００４】
与えられた方向は、回転方向でもよい。磁気部の少なくとも１つは、磁気部の前記相互作用により、第３構成要素が第１構成要素に機械的に固定される位置への、ガイドに沿った磁気部の移動が生じるように、ガイドによって移動自在に保持され得る。前記第１磁気部は、前記第４構成要素と前記第１構成要素を係合するために、第２磁気部の効果の下、第１構成要素に対して移動自在であり得る。移動自在な磁気部は、回転軸線と略平行か、又は略垂直である方向に移動自在でもよい。
【０００５】
本発明の他の態様は、添付の請求項にて説明される。
【０００６】
第１の、及び関連する他の態様において、第３又は第４の構成要素は、第１及び第２の構成要素の内部、又はその周囲で摺動し得、及び、第１構成要素に接続されると、第３又は第４の構成要素は、第１及び第２の構成要素をまたぐ。磁気部の１つは、他の磁気部の内部、又はその周囲で摺動し得、機構は更に、磁気部が係合されると、摺動する磁気部が第５構成要素及び他の磁気部をまたぐように、摺動する磁気部のためのガイドとして作用する第５構成要素を含む。
【０００７】
第１の、及び関連する他の態様において、与えられた方向での前記相対的な移動により、第１及び第３の構成要素を互いにロック及びアンロックするための、機械的ロックが提供され得る。機械的ロックは、以下の１以上を含み得る：
クリップ、及び、第１及び第３の構成要素上に形成されるクリップ係合機能；
第１及び第３の構成要素上に形成される相互係合レール（ｉｎｔｅｒｅｎｇａｇｉｎｇ  ｒａｉｌ）；
前記磁気部の１つが移動自在な方向とは異なる方向に移動自在な、更なる磁気構成要素。
【０００８】
第１の、及び関連する他の態様において、磁気部の１以上は、多数の反対に配向されたダイポールを含み得る。
【図面の簡単な説明】
【０００９】
【図１】直線状のプッシュプル（ｐｕｓｈ−ｐｕｌｌｓ）の一般的な原理を示す。
【図２】直線状のプッシュプルの一般的な原理を示す。
【図３】制限された直線状のプッシュプルの一般的な原理を示す。
【図４】垂直プッシュプル式長手方向ブロッキング（Ｌｏｎｇｉｔｕｄｉｎａｌ  Ｂｌｏｃｋｉｎｇ）の一般的な原理を示す。
【図５】レール長手方向ブロッキングの原理を示す。
【図６】レール長手方向ブロッキングの原理を示す。
【図７】レール長手方向ブロッキングの原理を示す。
【図８】レール長手方向ブロッキングの原理を示す。
【図９】レール長手方向ブロッキングの原理を示す。
【図１０】多数の固定面の一般的な原理を示す。
【図１１】多数の固定面の一般的な原理を示す。
【図１２】プラットフォームを摺動させる場合の、プッシュプルの使用を示す。
【図１３】プラットフォームを摺動させる場合の、プッシュプルの使用を示す。
【図１４】プラットフォームを摺動させる場合の、プッシュプルの使用を示す。
【図１５】プラットフォームを摺動させる場合の、プッシュプルの使用を示す。
【図１６】多層の原理を示す。
【図１７】多層の原理を示す。
【図１８】多層の原理を示す。
【図１９】多層の原理を示す。
【図２０】多層の原理を示す。
【図２１】多層の原理を示す。
【図２２】多層の原理を示す。
【図２３】様々な可能な多層の実施形態を示す。
【図２４】様々な可能な多層の実施形態を示す。
【図２５】様々な可能な多層の実施形態を示す。
【図２６】様々な可能な多層の実施形態を示す。
【図２７】様々な可能な多層の実施形態を示す。
【図２８】様々な可能な多層の実施形態を示す。
【図２９】様々な可能な多層の実施形態を示す。
【図３０】様々な可能な多層の実施形態を示す。
【図３１】多層の原理の可能な代案の様々な実施形態を示す。
【図３２】多層の原理の可能な代案の様々な実施形態を示す。
【図３３】多部品の原理の様々な可能な実施形態を示す。
【図３４】多部品の原理の様々な可能な実施形態を示す。
【図３５】多部品の原理の様々な可能な実施形態を示す。
【図３６】多部品の原理の様々な可能な実施形態を示す。
【図３７】多部品の原理の様々な可能な実施形態を示す。
【図３８】多部品の原理の様々な可能な実施形態を示す。
【図３９】図２５のものであるが、代替的な番号を伴う、多層の実施形態を示す。
【発明を実施するための形態】
【００１０】
明確なものにするため、図３９は、図２５（更に以下に記載される）のものではあるが、代替的な番号付けシステムを伴う、多層の実施形態を示す。実施形態の以下の記載は、図２５の、及び更なる実施形態の記載の理解に有用である。
【００１１】
図３９における点線の上の図は、実施形態の分解図である。それは、５つの構成要素（即ち、例えば壁に固定され得、第１固定磁気部（１０１）を備える、固定した第１部品（１００））を示す。この第１磁気部（１０１）は、ガイド内に固定されている磁気部により、凹型ソケット（１１３）内に位置づけられる。第２構成要素（１０２）は、第３部品（１０３）及び第４のロック部（１０４）を収容するように構成される中空円筒であり、そこでは、ロック部も円筒状であり、第２部品と第３部品の間に、略同軸に位置づけられる。第３部品は、一般的に正方形の断面を備える中心通路（１０５）を含む。第２磁気部品（１０６）は、この通路（１０５）内に固定される。
【００１２】
実施形態は、軸が第３部品の通路（１０５）内に位置づけられ得るように、拡大ヘッド（１０８）と、正方形断面を備える軸（１０９）とを備える、第５部品（１０７）を含む。それ故、第５部品（１０７）の回転は、第１部品（１００）に対する第３部品（１０３）の回転を結果としてもたらす。第１及び第２の磁気部は各々、単一のダイポールマグネット、第１及び第２の部品の回転軸と垂直に配置される磁軸を含む。
【００１３】
第２、第３、第４、及び第５の部品は、第１部品（１００）と係合し得る単一ユニット（１１０）へと組み込まれる。組み込んだユニットと第１部品が共にまとめられると、第４部品（１０４）の端部から突出する一対の突起（１１１）は、第１部品において形成されるそれぞれの凹部（１１２）内に位置する。突起と凹部の係合は、第４部品が第１部品に対して回転するのを防ぐ。第５部品（１０７）のヘッドを回転させることにより、ユーザーは、第１部品（１００）（及び第４部品（１０４））に対して第３部品（１０３）を回転させることができる。この作用は、磁気引力が生じるように、磁気部（１０１）（１０６）の磁気ダイポールを整列させるために使用され得る。結果、第２磁気部は、第１磁気部（１０１）の方へ引っ張られ、次いで、第１部品（１００）の方に第３部品（１０３）を引っ張り、第１部品（１００）に係合する。第３部品は、この工程中に第４部品（１０４）内で摺動する。
【００１４】
組立ユニット（１１０）が第１部品（１００）から離れて引っ張られるのを防ぎ、磁気引力を克服するために、１セットのラッチ（１１４）が、第３構成要素（１０３）の端部から突出し、第１構成要素（１００）において形成される一般的に円形の凹部（１１５）を突き通る。第３構成要素（１０３）の回転は、凹部（１１５）の周囲で形成される、それぞれの縁（ｌｉｐｓ）の後ろにこれらのラッチを位置付け、組立ユニットが第１部品から離れて引っ張られるのを防ぐ。
【００１５】
この構成において、既に言及したように、第４構成要素（１０４）は、第１構成要素（１００）対して回転することができない。しかし、第２構成要素（１０２）は、第４構成要素（１０４）の周囲を自由に回転する。更に、第３構成要素（１０３）は、第２磁気構成要素（１０６）を回転させて、且つ保持リップ（ｈｏｌｄｉｎｇ  ｌｉｐｓ）の後ろからラッチ（１１４）を解放するために、反対方向に回転され得る。そのような回転は、２つの磁気構成要素の反発作用を引き起こし、組立ユニット（１１０）が第１構成要素（１００）から取り除かれることを可能にする。
【００１６】
図３９の実施形態の利点は、第４部品（１０４）が、第３部品（１０３）から第２部品（１０２）を効果的に切り離すことであるのが、明白である。第２部品の回転は、第３部品に効果がなく、特に、任意の回転、及びそれ故、第１部品から第３部品の解放を引き起こさない。
【００１７】
この機構に対する修正は、凹部（１１５）を、ユニット（１１０）の取り付け中にラッチ（１１４）をスナップインする（ｓｎａｐ−ｉｎ）ように構成される凹部に取り替える。機構は、ユニットが第１部品（１００）に近接してもたらされるため、磁気部品が自己整合し、ラッチ（１１４）が凹部と適切に整列される位置へと第３部品（１０３）を回転させるものである。磁力は、第１部品の方へ第３部品（１０３）を引っ張り、それぞれの縁の後ろの場所にラッチ（１１４）を嵌め込むのに十分である。その後、磁気部が正しく整合されず、ラッチが縁によって捕えられない位置へと、第３部品が回転されると、反発力は第３及び第１の部品を別々に押す。
【００１８】
今後、用語「プッシュプル」は、共に磁気特性を備える、互いに対して移動自在な第１磁気構成要素（１）及び第２磁気構成要素（２）で作られるデバイスを表わし、その結果、相対的な回転式又は直線状の移動（今後、「作動動作（ａｃｔｕａｔｉｏｎ  ｍｏｔｉｏｎ）」と呼ばれる）が、構成要素の１つ（今後常に且つ恣意的に第１磁気構成要素（１）である）を、反磁性材料で作られる（即ち、プラスチック、木、アルミニウム等の磁気的に中性な材料で作られる）２つのガイド（３）及び（４）を第１構成要素（１）がまたぐロック位置と、第１構成要素（１）が２つのガイドをまたがないアンロック位置との間で、移動させる。そのまたがりは、折り重なり動作（ｆｏｌｄｉｎｇ  ｍｏｔｉｏｎ）で、又は、ロック位置からアンロック位置へ移動する時に第１構成要素（１）の動作の方向と平行ではない動作で、２つのガイド（３）及び（４）が移動することを機械的に妨げる。今後、この後者の動作を、「ロック／アンロック動作」と呼ぶ。そのようなプッシュプルは、美観（例えば、機構は視界から完全に隠され得る）、触覚型、使用の迅速さ／単純性、安全性、コスト削減（例えば、構造の組立／分解の時間の削減による）、娯楽、斬新さ／流行、改善した品質などの、様々な利点を提供する。そのようなプッシュプルデバイスから利益を得ることができる商業領域は、玩具、家具、バスルーム設備、箱（例えば、宝石箱）、バッグ、締め金、足場、骨組、パネルフレーム、物品ホルダー（ｉｔｅｍ  ｈｏｌｄｅｒ）、締結装置、昇降又は牽引機構等を含む。ガイドが互いに相対的に移動するのを防ぐ機械的強度は、剪断又は折り畳みの動作において、ガイドをまたぐために使用される材料の機能である。この材料は、磁石を作るために使用される材料であり得る。それはまた、磁石に取り付けられ（例えば、磁石を包むこと）、且つ磁石と共に移動するものであり得る。故に、「磁気構成要素」は、磁石及びそれらの周囲の材料の両方を表わす。本明細書に記載される全てのプッシュプルが最初に製造され、後に、他の部品に統合され得る（例えば、ねじで締められる、接着される等）；それらは、特注のもの又は標準化されたものであり、及び、独立型の製品として店で潜在的に販売され得る。それらはまた、これ以上の統合が必要でなくなるように、他の部品として同時に製造され得る。磁力は、（システムをロック及びアンロックすることとは対照的に）システムをロック又はアンロックするためにのみ、使用され得る。後者の場合において、更なる力が、システムをアンロック又はロックするためにそれぞれ必要とされる。この更なる力は、作動動作によって使用されるものと同じ力、又は別個の力であり得る。分離力が使用される場合、後者はその後、ロック（アンロック）位置からアンロック（ロック）位置へと（１）を移動させるほど強く、及び、（１）と（２）の間の磁力が第１構成要素（１）をそのアンロック（ロック）位置からロック（アンロック）位置へと移動させるのを妨げないほど弱くなくてはならない。これは、（１）と（２）の作動動作のみが、磁力の大きさ（即ち、その方向ではない）を調節する必要があることを意味する。この分離力は、バネによって、又は、バネとして作用する別の磁石／常磁性材料によって、生成され得る。作動動作の力が使用される場合、その後、（１）のロック／アンロック位置は機械的に作動される。これは、作動動作が（１）と（２）の間の距離の増加をもたらすように傾斜する（４）及び／又は（２）のセクション上で、作動動作が（１）を移動させるように、（１）、（２）、（３）、及び（４）が形成されることを意味する。その場合、磁力は調節されず、その方向を逆にする必要は無い。（１）と（２）の磁気特性は、磁力が調節され、その方向が変更される必要があるかどうかに依存する。磁力の方向が逆にされる場合、その後、（１）及び（２）の両方は、磁極の適切な配向を備えた磁石を含み得る。代替的に、１つの構成要素は磁石を含み、もう１つは、常磁性及び反磁性材料の寄せ集め（ｐａｔｃｈｗｏｒｋ）を含む。力が単に調節されるだけの場合、その後典型的に、１つの構成要素は磁石を含み、もう１つは、常磁性及び耐磁性材料の寄せ集めを含む。常磁性材料は、反磁性材料が磁界によってはね返され、反磁性材料が磁界の効果の影響を受けにくい、外部的に印加した磁界の存在時にのみ引き付けられることに、注意されたい。直線状の作動動作は、プッシュプルをアンロックするために、（１）が（２）へと直線的に相対的に摺動し、且つ、ロック／アンロック動作の配向に平行ではない配向に、平行であることを意味する。回転作動動作は、直線状の作動動作の配向に平行でない軸の周囲に巻きつけられる第１構成要素（１）の経路との、直線状の作動動作を表わす。この巻き付け軸は回転軸線になり、且つ、実施形態に依存して、（１）を通る又は通らない場合がある。今後、用語「平行回転式」及び「垂直回転式」は、回転軸がそれぞれ、ロック／アンロック方向と平行である及び平行でない、回転式プッシュプルを指す。平行回転式プッシュプルに関して、（３）へと相対的に回転するための（１）の能力は、ＰＣＴ／ＥＰ２０１２／０５９８７０の図１３に示されるような（３）に沿ったその直線位置の機能であり得ることに、注意されたい。ガイドは、直線及び回転式の両方の作動動作のために、「内部的」、「外部的」になり、又は「混合」され得る。ガイドが（１）及び／又は（２）を部分的又は総体的に通り抜ける場合に、ガイドは「内部的」と言われる。ガイドは、磁性構成要素が部分的又は総体的にガイドを通り抜ける場合に、「外部的」と言われる。第１構成要素（１）の経路のセクション上で内部的であり、且つ別のセクション上で外部的である場合、ガイドは「混合される」と言われる；回転式プッシュプルに関する内部的、外部的、及び混合したガイドの例については、ＰＣＴ／ＥＰ２０１２／０５９８７０を参照。加えて、（１）及び／又は（２）は、作動動作の実施中、（３）及び／又は（４）に相対的に摺動する又は摺動しない場合がある。全ての下記の図において、以下の規約（ｃｏｎｖｅｎｔｉｏｎ）が使用される：ガイド及び部品の表面は、完全に又は部分的に白い一方で、磁気特性を備えた材料の表面は全て黒である。図１は、直線状のプッシュプル（即ち、直線状の作動動作を備えたプッシュプル）の原理を示す。（１）の直線状の作動及びロック／アンロックの動作は、Ｙ及びＸの方向にそれぞれ平行である。ガイド（４）は少なくとも２つの磁石を包含する。全ての磁石の磁気ダイポールの配向は、（１）の配向、即ち、Ｘ方向に平行である。しかし、（４）の内部の磁気ダイポールの方向は、Ｙ軸に沿って交互する（ａｌｔｅｒｎａｔｅ）。故に、図１のＡにおいて、プッシュプルはロックされる。図１のＢにおいて、（１）はＹ方向に移動し、現在、磁気ダイポール方向が以前のものとは反対である（２）の磁石の前にある。それ故、（１）は現在、（２）から離れて押され、プッシュプルがアンロックされる；即ち、（３）及び（４）は現在、逆方向にあるＺ配向に平行して移動することができる。この図において、（３）は移動できるが、作動動作中にＹ方向で（４）へと相対的に移動せず（例えば、図３を参照）；（１）のみが相対的に移動することに注意されたい。第１構成要素の直線状の作動動作の結果として、磁力の同じ反転を作り出す他の磁界配位が可能であることに、注意されたい。例えば、（１）及び（２）の磁気ダイポールの配向は、ロック／アンロックの配向に対して垂直になり得る。図２において、図１とは対照的に、磁力方向は逆転されず、更なる力は作動動作の力である。これは、ダクトの、及び、標準がＹ方向でそのベクトル成分の１つを備える（１）の表面の、斜角の形状によって見られ得る。（１）自体を自由に位置付けるようにした場合、構成要素（１）は（２）によって引き付けられる。作動動作の間、（１）は＋Ｙ軸に沿って移動する。その結果、斜角の形状は、（４）の外側に（１）を押す；単純性のために、（３）は表示されない。
【００１９】
今後、用語「制限された直線状のプッシュプル」（ＲＬＰＰ）は、上述されるが、作動動作に平行な方向で（１）が（３）へと相対的に摺動できない、直線状のプッシュプルに適用する。プッシュプルは、内部的、外部的、又は混合したガイドを使用することができ、磁気構成要素は、プッシュプルをロック又はアンロックするのと同様、プッシュプルをロック及びアンロックするために使用され得る。制限される又は制限されない、そのような直線状のプッシュプルは、例えば、メインフレーム上にドールハウスのパネルを、（テーブルとして使用しない場合に）赤ん坊用の椅子の脚部上に取り外し自在なトレーを、箱の上に蓋などを取り付けるために、使用され得る。図３は、制限された直線状のプッシュプルの基本的な原理を示す。それは図１に類似する。図１と図３の間の主な差は、図３において、ロック／アンロック方向（即ち、Ｘ軸）に平行な方向でのみ、（１）が（３）へと相対的に摺動することができることである。制限された直線状のプッシュプルの１以上のセットは、２つの部品（５）及び（６）を共に連結するために使用され得る。様々なセットが、図３乃至図５において使用される。図３には、（２）を共有する２つのセットが存在する。図４、図５、図１０、及び図３８は、制限された直線状のプッシュプルを含む。これらの図を単純化するために、（１）及び（２）は、（３）及び（４）と同様に、詳しく表わされない。それらは、黒い長方形によって符号化される。各々の黒い長方形は、第１磁気構成要素（１）又は第２磁気構成要素（２）を表わし得る。実際に、作用する制限された直線状のプッシュプルに関して、黒い長方形が（１）である場合、その後、他の部品上の反対の黒い長方形は、（２）でなければならず；又はその逆も然りである。加えて、これらの図に関して、サブ図（ｓｕｂ−ｆｉｇｕｒｅｓ）Ａ、Ｂ、及びＣはそれぞれ、部品（５）及び（６）が取り付けられる場合、即ち、作動動作方向に平行である方向で部品が互いに相対的に移動した場合（この段階で、制限された直線状のプッシュプルはアンロックされる）、及び最終的に、作動動作方向及びロック／アンロック動作方向の両方に平行でない方向で部品が移動した場合を表わす。
【００２０】
今後、用語「フック長手方向ブロッキング」は、ロックされた時、（１）がフックによってロック／アンロック動作に平行な方向で移動することを妨げる、プッシュプルを表わす。加えて、これらフックは、作動動作中にそのグリップを解放し、プッシュプルのロックを妨げない。これらのフックは、（１）の上に位置し、（２）及び／又は（４）を把持し得る。それらはまた、（２）及び／又は（４）の上に位置し、（１）を把持し得る。そのようなフックは、プッシュプルのロックを可能にするよう移動する又は曲がり得るが、ロック時にその把持位置に留まる（ｒｅｍａｉｎ）必要がある。後者を達成するために、それらは、（図３におけるような）材料の弾性特性、バネ、又はバネとして作用する磁石を使用し得る。図３は、直線状のプッシュプル（原理は、回転式プッシュプルに関して同じものを留める）のための、機械的なフック長手方向ブロッキングシステムの実施形態の例の斜視図である。プッシュプルが、Ｘ軸に平行な部品（５）及び（６）をより近くに移動させることによってロックされていると、第１磁気構成要素（１）の頂部及び底部にある突出部（７）は、フック（８）を押し上げる又は押し下げる。一旦ロックされると、フック（８）は、突出部（７）を把持し、２つの部品（５）及び（６）が、Ｘ軸と平行な方向で互いから離れて移動するのを妨げる。しかし、作動動作が実行された後、突出部（７）は現在、溝（９）の中にあり、部品（５）及び（６）は、Ｘ軸に平行な方向で互いに対して相対的に移動することができる。
【００２１】
今後、用語「垂直プッシュプル式長手方向ブロッキング」は、任意の種類の少なくとも１つのプッシュプルの２つのセットによって機械的に連結される、２つの部品（５）及び（６）で作られるシステムを表わし、１つのセットのプッシュプルのロック／アンロック動作方向は全て、別のセットのものとは平行でなく、両方のセットのプッシュプルの作動動作方向は、全て平行である。１つのセットの幾つかのプッシュプルは、別のセットの幾つかのプッシュプルと、第２磁気構成要素（２）を共有し得ることに、注意されたい。図４は、制限された直線状のプッシュプルの特定の場合における、前記長手方向ブロッキングシステムの実施形態の例の斜視図である。３つの制限された直線状のプッシュプルの２つのセットは、部品（５）及び（６）の２つの垂直面に取り付けられる。ロック／アンロック動作方向は、プッシュプルの１つのセットのためのＺ軸に、及び、別のセットのためのＸ軸に、平行である。故に、ロック時に、２つの部品（５）及び（６）のみが、作動動作方向（Ｙ軸）に平行な方向で、互いに対して相対的に移動できる。回転式プッシュプルに関する垂直プッシュプル式長手方向ブロッキングは、ＰＣＴ／ＥＰ２０１２／０５９８７０において導入されたことに、注意されたい。
【００２２】
今後、用語「レール長手方向ブロッキング」は、ロック／アンロック動作に平行でない方向（今後は連結動作方向と呼ばれる）で互いに対して相対的に摺動することによって連結するように、ガイド（３）及び（４）が形成されるプッシュプルを表わし、その結果、ロック時にそれらは、ロック／アンロック動作方向に平行な方向で移動することができないように互いに引っかかり、及びロック時に、（１）による（３）及び（４）のまたがりは、（３）及び（４）が、連結動作配向に平行な反対方向で移動するのを妨げる。ガイド（３）及び（４）は、作動動作の実行により、及び、連結動作配向に（又は、１より多くの可能な連結動作配向がある場合、その１つに対して）平行な逆方向でそれらを移動させることにより、解放される。図５乃至図９は、そのような長手方向ブロッキングシステムの実施形態の例の斜視図である。これらの図において、黒い円弧状矢印は、作動動作を表わし、直線状の白い矢印は、アンロック時の部品の相対運動を表わし、黒い面は（１）と（２）を表わす。ガイドの少なくとも１つはレール（１０）として形成されるセクションを備える。図５は、制限された直線状のプッシュプルを含む。図５において、制限された直線状のプッシュプルのセットは、レール（１０）の内部表面（１１）及び外部表面（１２）の両方に置かれる。これは必須ではない。部品（５）の内部表面（１１）上の、及び部品（６）の外部表面（１２）上のセット、或いはその逆は、同様に作動する。作動、及びロック／アンロック動作の方向は、Ｙ軸及びＸ軸にそれぞれ平行する。図６乃至図９は、回転式プッシュプルを含み、複数のガイド（３）又は（４）の配置について記載する。これらのガイドは、１、２、又は３次元の配置を備え得る。直線状に配置される、又は部品（１３）の内部が断続的である場合、配置は、例えば図６及び図７におけるように、１Ｄである。それぞれ開放（例えば、平面（ｐｌａｎ））及び閉鎖（例えば、立方体又は球体）である部品（１３）の表面上に配置される場合、配置は、例えば図８においては２Ｄであり、図９においては３Ｄである。他の実施形態は、そのようなガイドの配置を考慮する必要はなく、即ち、１つのガイドのみを考慮することができる。図６において、（１）は、ガイド（４）の位置の何れかにてロックされ得る。図６のＡは、ロックされたプッシュプルを示し、一方で図６のＢ及び図６のＣは、反対側の視点からのアンロックされたプッシュプルを示す。図６において、（４）は輪状であり、又はそうでない場合がある。（４）が輪状の場合、構成要素（１）及び（２）の両方は、（４）に対して相対的に回転することができる。（４）及び十分に大きな（１）の両方が輪状でない場合（即ち、図６において正方形）、（２）のみが回転する。図７は図６に類似するが、図７は、外部ガイドとは対照的に内部ガイドを使用する。図７において、（１）は（３）の周囲を回転する。（１）と（２）が互いに対して相対的に回転することができる限り、（１）はそうである必要は無い。図６及び図７の両方において、構成要素（２）は（１）と共に移動する。図８に示されるように、（２）はそうである必要は無い。しかし、これは、例えば図８及び図９においてそうであるように（（２）が（１）と共に移動できるため）、多位置システムが必ずしも、ロック位置が存在するだけ多くの構成要素（２）を備える必要がないという事実を示す。図８乃至図９において、（１）も（２）もそれぞれ、（３）及び（４）を回転させることができない。これは、全ての実施形態に関してそうである必要は無い。加えて、プッシュプルは平行回転式プッシュプルである。他の実施形態は、直線又は垂直の回転式プッシュプルを考慮することができる。図８において、（３）は、（１）及び（２）の相対的配向に依存する特定の位置にて、自由に移動するか、又はロックされ得る。図８のＢは、（１）を示すために上下逆さまの、図８のＡのガイド（３）である。この図において、あたかも（２）によって引きつけられるかのように、構成要素（１）は（３）から飛び出る。図９は、内部ガイド（１４）及び外部ガイド（１５）をそれぞれ伴う回転式プッシュプルのための、３Ｄ多位置システムを示す。それらは、立方体の周囲で包まれる、図７及び図８の相当物である。立方体の各面上に、１より多くの（２）が存在し得る。加えて、図７及び図８が、円板又は球体の周囲で包まれていた場合、（１）及び（３）は、レール（１０）からそれらを取り除くことを必要とすることなく、１つの（２）から別のものへと進み得る。
【００２３】
今後、用語「多数の固定面」は、２つの部品（５）及び（６）を含むシステムを表わし、第１部品は、少なくとも２つの固定面（１６）及び（１７）に沿って第２部品に取り付け自在であり、固定面の少なくとも１つは、少なくとも１つのプッシュプルによって別の部品に取り付けられる。図１０は、外部ガイドを伴う制限された直線状のプッシュプルを使用する、「多数の固定面」の実施形態の例の斜視図である。作動動作、及びロック／アンロック動作は、Ｙ軸及びＸ軸にそれぞれ平行する。図１１は、部品（５）及び（６）を連結する方法の多様性と同様に、部品（５）を実施する方法の様々な例を示す。図１１のＡの部品（５）は、図１０において使用されるものである。図１１において、部品（５）は、構成要素（１）及び（３）のみを使用することに注意されたい。これは、図をより明示的にするためだけのものである。それは、構成要素（２）、又は構成要素（１）及び（２）の寄せ集めのみを保持することができた。多数の固定システムは、任意のタイプのプッシュプルに関連する。例えば、それらが直線状のプッシュプルであるが、制限された直線状のプッシュプルではなかった場合、図１０の工程Ｂは、作動動作の方向での、（３）に対する（１）の動作により取り替えられる；即ち、部品（５）は、作動動作方向で、部品（６）に対して相対的に移動する必要がない。
【００２４】
今後、用語「摺動プラットフォーム」は、第１プラットフォーム（１８）、及び別のプラットフォーム又はハウジング（１９）で作られるシステムを表わし、ここで、（１８）は、１以上の方向で（１９）の表面に対し平行に浮かぶことができ、その一方で後者に機械的に結合されたままであり、並びに、（１８）は、任意の種類のプッシュプルによって、（１９）に対して相対的に、少なくとも１つの与えられた位置にてロックされ得る（例えば、上述のセクション「レール長手方向ブロッキング」において議論される、１Ｄ配置を参照）。機械的結合は、様々な方法で実現され得る。部品（２０）は、ガイド（２１）の内部で摺動し、又は、多関節アーム（２２）の末端に取り付けられ得る。それは、２つのプラットフォームの１つの上に固定され、一方で（２１）又は（２２）は、他のプラットフォームに取り付けられる。ガイド（３）又は（４）は、（１８）及び（１９）のみにおいて位置付けられ得；即ち、（２０）、（２１）、又は（２２）においては位置付けられない。それらはまた、（２０）、（２１）、又は（２２）のみにおいて位置付けられ得、即ち、（１８）又は（１９）においては位置付けられず、或いは、１つは（１８）又は（１９）の両方に位置づけられ、他のものは（２０）、（２１）、又は（２２）に位置付けられ得る。いかなる場合も、（２１）又は（２２）に対して相対的な、部品（２０）の動作の自由度は、作動動作が生じるのを妨げないようにしなければならない。図１２乃至図１５は、摺動プラットフォームの原理の実施形態の例を記載する。これらの図において、（１８）及び（１９）は、円形のドロア（ｄｒａｗｅｒ）及びそのハウジングである。この実施形態は、ドロアの円形の表面の中心を通る中心軸（２３）に位置付けられる、２つの回転式プッシュプルを使用する。この中心軸（２３）は、ロック／アンロック動作に平行であり、部品（２０）でもある。（２３）の頂部及び底部に、２つのプッシュプルが存在する；１つだけが存在する場合もある。図１３乃至図１５は、様々な部品及びそれらの原動力（ｄｙｎａｍｉｃ）を露出する、図１２のシースルーの平面・底面図である。図１３乃至図１４はガイド（２１）を含み、一方で図１５は多関節アーム（２２）を含む。これらの図において、（２１）及び（２２）は入れ子式ではないが、入れ子式の場合もある。そのような入れ子式システムは、例えば、（１９）から完全にドロア（１８）を移動させるために使用され得る。図１３において、ガイド（２１）は枢軸の回りを回転しない。その場合、ガイド（２１）は、１つ以上の方向；即ち図においては３方向で、予め定義した直線で移動することを（１８）に強いる。これは、図１３が、３つの異なる方向で引っ張られた、及び／又は３つの異なる方向（１８）が引き出され得る、互いの上に位置づけられる３つのドロア（１８）を表わすことができる、ことを意味する。図１４は、（１８）が１以上のガイド（２１）において摺動すると、枢軸（２４）の周囲を回転することができる場合を示す。これは、（１８）が、様々な方向ではあるが常に（２１）と同じ方向で引っ張られ得ることを意味する。図１２乃至図１５において、単頭の黒い円弧状矢印は、作動動作を示す。双頭の白い円弧状矢印は、アンロック時の、（２０）／（２３）の周囲での（１８）の回転を示す。双頭の黒い円弧状矢印は、枢軸（２４）に対して相対的なガイド（２１）の回転を示す。双頭の直線状の白い矢印は、ガイド（２１）に対して相対的な（２０）／（２３）の動作の方向を示す。小さな白い円は、（２０）／（２３）の位置を示す。点付きの円（２４）は、（２１）及び（２２）の枢軸（２４）を示す。図１２乃至図１５は、回転式プッシュプルを記載するが、同様に、直線状のプッシュプルも使用され得る。直線状のプッシュプルは、例えば、非円形のドロアに使用され得る。ロック時に、プッシュプルは、例えば、１つの作動動作を除いた全ての方向で、ドロアが移動するのを妨げる。ドロアを移動させるために、ドロアは、最初に、プッシュプルをアンロックするための作動動作方向に引っ張られ（図１２乃至図１５において回転されるのとは反対に）、次に、許容されるあらゆる方向で移動する。（１９）から（１８）を、多かれ少なかれ強く押し出す機構は、アンロック時に、使用の利便性のために加えられ得ることに、注意されたい。
【００２５】
用語「多層プッシュプル」は、少なくとも４つの部品で作られるシステムを表わす。第１部品（今後は摺動部（２５）と呼ばれる）が、第２部品（今後は基準部（２６）と呼ばれる）に対して相対的に移動する場合、摺動部（２５）はまた、その動作方向と同じ方向で、第３部品（今後は牽引部（ｄｒａｇｇｅｄ  ｐａｒｔ）（２７）と呼ばれる）の摩擦によって、移動することができる。これを防ぐために、摺動部（２５）による摩擦によって牽引されることができない、第４部品（今後は追加部（２８）と呼ばれる）は、摺動部（２５）と牽引部（２７）の間に挿入される。そのような追加部（２８）は、摺動部（２５）と牽引部（２７）の間で機械的な絶縁体層として作用する。これらの４つの部品の幾つかは、任意の種類のプッシュプルの部品（１）、（２）、（３）、及び／又は（４）でもよい。その場合、（２８）は、プッシュプルの不要なロック／アンロックを妨げる。実際、（２６）及び（２７）は、例えば、プッシュプルの任意の種類の（１）及び（２）でもよい。結果的に、（２５）の動作の配向が作動動作の配向と同一である場合、及び、（２８）がその後、摩擦を介して存在しない場合、（２５）の動作は、作動動作の配向と平行な（１）及び（２）の相対運動を引き起こすことができ、故に、プッシュプルの不要なロック／アンロックを潜在的にもたらし得る。（２７）が、（１）が作動動作と平行に相対的に摺動することができないガイドである場合、問題は同じであることに注意されたい。摺動部（２５）は、例えば（３）及び／又は（４）でもよい。図１６乃至図２２は、そのような層化システムの可能な実施形態の原理の概略図である。それらは全て、直線状の作動動作に基づく。しかし、既に上で言及したように、論理は、回転式の作動動作に対しても同じである。これらの全ての図において、（２５）はＹ方向に平行して摺動し、ロック／アンロックの動作はＸ方向と平行であり、作動動作はＹ方向と平行であり、プッシュプルがロックされた時、（１）及び（２）は、Ｚ方向と平行に、互いに対して相対的に移動することができない。図１６において、（２８）は、（２６）の延長部であり、又は（２６）に取り付けられ、Ｘ方向で（２７）の下を摺動する。図１７において、（２８）は、（２６）の延長部ではなく、又は（２６）に取り付けられず、（２７）の下を摺動するか、或いはしない場合もある。プッシュプルは、図１６のＡ及び図１７のＡにおいて固定され、図１６のＢ及び図１７のＢにおいてアンロックされる。図１８及び図１９はそれぞれ、図１６及び図１７に類似する。違いは、プッシュプルがロックされると、（２５）がＺ方向（即ち、作動動作及びロック／アンロック動作の方向の両方に平行でない方向）に平行して移動するのを妨げられるように、（２８）をフック（２９）として形成したことである。図２０は図１６に類似し、図２１及び図２２は図１７に類似する。違いは、摩擦表面の標準が、図１６乃至図１９及び図２０乃至図２２それぞれに関するＺ方向とＸ方向に平行することである。図２０乃至図２２において、部品（２８）は、図１８及び図１９に記載されるものに類似する、フック形状を備え得ることに、注意されたい。図２３乃至図３０は、図���６乃至図２２に示される原理の幾つかの実施形態の例の斜視図である。これらの図において、黒い及び白い円弧状矢印は、ロック時の（２５）の、及び作動動作のそれぞれの回転を記載する。直線状の白い矢は、アンロック時の部品の相対運動を表わす。図２３乃至図２７は、図１７に記載される原理の実施形態の例である。図２８、図２９、及び図３０は、図１９、図１６、及び図２２のそれぞれに記載される原理の実施形態の例である。図２３に記載されるシステムは、制限された直線状のプッシュプルを含み、一方で図２４乃至図２７及び図２８乃至図３０に記載されるシステムは、それぞれ、平行及び垂直の回転式プッシュプルを含む。図２３乃至図３０は、外部ガイドのみを含み；しかし、図２５に関して、ガイドはまた、（１）が回転ガイド（４３）に沿って摺動するため、内部的なものとして考慮され得る。論理は、混合した及び／又は内部のガイドに関して同じである。図２４乃至図３０に記載される全てのシステムは、主に枢軸として作用する。図２４及び図２５は、靴箱の旋回ドアなどのドアのヒンジとして使用され得る（例えば、靴箱についての更なる詳細に関してはＰＣＴ／ＥＰ２０１２／０５９８７０を参照）。図２６乃至図２７は、例えば、ドア、パネル、蓋、又はハンドルなどの隠しヒンジとして、使用され得る。図２８は、同じ直径の２つの旋回ポールを結合するために使用され得る。図２９及び図３０は、クランク上に部品（例えば、ペダル）を取り付けるために使用され得る。システムは図２３のＡにおいてアンロックされ、図２３のＢにおいてロックされる。図２４のＡは、組み立てられ且つロックされたシステムを記載する。図２４のＢ及び図２４のＣは、２つの異なる視点からの、ロックされる前又は後の、部品の相対運動を表わす。図２５、図２８、図２９、及び図３０に関して、サブ図Ａ、Ｂ、Ｃ、及びＤはそれぞれ、全ての独立部品の分解図、互いに対して相対的な組み立て部品の相対運動、及び、プッシュプル構成をアンロックからロックした状態にするための（１）及び（２５）の動作を示すシステムの２つの断面、を記載する。図２９を除く、図２３乃至図３０において、（２８）は、凹部（３１）を通り抜ける突起（３０）のため、（２６）ではなく（２５）に対して相対的に回転することができることに、注意されたい。プッシュプルがロックされると、２つの部品が機械的に結合されるような、（２８）及び（２６）の形成は、（２５）による摩擦によって（２８）が牽引されるのを妨げる、典型的な方法である。（２５）が（３）でもある場合、（２８）が（３）及び（４）にまたがる限り、（１）は、（３）と（４）にまたがる必要はないことに、注意されたい；即ち、（２８）は（１）の延長部になる。（２８）及び（２６）が永続的に結合されるため、図２９は異なる。図２９は「多部品システム」でもある（以下を参照）。図２９及び図３０における孔（３２）は、プッシュプルがアンロックされるが、バネが同じ効果のために使用され得る時に、（１）を引っ込めたままにするための追加の磁石を受け取るように、設計される。これら追加の磁石の強度は、（１）を引っ込めたままにするほど強くなくてはならないが、（１）が（２）によって引きつけ���れるのを妨げないほど弱くなくてはならない。加えて、図２４において、（２８）は、（１）によって押されるだけであり（一方では、図２３及び図２５においては押され且つ引っ張られる）、（２８）上の端部（３３）は、システムがロックされる時に、（２５）が外に摺動するのを妨げるために導入された。そのような端部は必須でなく、靴（ｓｈｏｗ）箱の回転ドアのヒンジなど、幾つかの用途には役立たない場合がある（例えば、靴箱についての更なる詳細に関してはＰＣＴ／ＥＰ２０１２／０５９８７０を参照）。幾つかの状況において、要求時に、（２７）が（２５）と共に移動するように、（２５）と（２７）を機械的に結合できることが、要求され得る。実際、図２４及び図２５において、その末端の１つが（例えばドライバーに）アクセス自在であるため、（１）は回転自在である。それは、図２６乃至図２７において記載されるシステムに関してはそうではない。これは、プッシュプルをアンロックするために、（１）及び（２）の相対回転が、（２５）と（１）が機械的に結合されることを要求することを、意味する。結合部（３５）が（２５）の内部に挿入され、（２５）及び溝（３４）にまたがる時にのみ、後者は機械的に結合される。図２６のＡは、システムの全ての部品を記載する。結合部（３５）が挿入された時、即ち、プッシュプルがアンロックの過程にある場合、図２６のＢは、ヒンジの回転を示す。（３５）が挿入されていなければ、部品（２５）は、プッシュプルをアンロックすることなく、自由に回転することができる。図２６のＣは、ドアなどの回転移動パネルの、フレームへの取り付けのためのヒンジの使用を示す。図２７は、（３５）が挿入された時に、（２５）の内部で生じたものを示す。結合部品（３５）は、（１）／（２７）の内部に位置する溝（３４）を通り抜ける。（３）／（２５）が（４）に対して相対的に回転すると、（３５）はそれと共に回転し、図２７のＡと図２７のＢにおいて記載されるように、（１）／（２７）に（２８）の内部で回転することを強いる。一旦完全に回転すると、（１）／（２７）及び（２８）は、（２）によって押し上げられる。結合部（３５）は、（１）／（２７）及び（２８）が（４）の外で完全に摺動し、その後ヒンジを解放するのを妨げないために、両方の溝（３４）の内部で摺動することができ、（３６）を切断することができる。
【００２６】
図３１及び図３２は、平行回転式プッシュプルのための多層方法に代わる、代替的な方法を示す。両方の場合において、（１）及び（２）は、（３）及び（４）に対して相対的に、自由に回転することができる。しかし、ロック時に、（１）は、（３７）及び（３８）の非環状の（即ち、その場合において正方形の）セクションのため、（４）に対して相対的に回転することができない。結果的に、（２）は、プッシュプルをアンロックするために（４）に対して相対的に回転することができなければならない。これらの２つの図の間の差は、ロック過程の間に（３７）が（３）を通り抜けた一方で、図３２においては通り抜けなかった、ことである。両方の場合、ロック時に、（３）は、摩擦による作動動作を引き起こさず、（１）に対して相対的に、自由に回転することができる。
【００２７】
今後、用語「多部品システム」は、第１部品（３９）が、２つの他の部品（４０）及び（４１）の、幾つかの方向での相対運動を遮断するために使用され、（３９）が、任意の種類のプッシュプルによって、他の部品、前記部品（４０）の少なくとも１つに接続される、というシステムを表わす。３より多くの部品を含む、多部品プッシュプルは、それらの部品の少なくとも１つを共有する、２以上の３部品プッシュプルと同等である。図３３乃至図３８は、そのような多部品システムの実施形態の例の斜視図である。それらは、システムをアンロックし、且つ部品を分離するのに必要なシステムの原動力を示す。部品は、左のサブ図上で完全に結合され、右のサブ図上で完全に分離される。真ん中のサブ図は、中間工程を示す。これらの図において、直線又は円弧状の黒い矢印は、作動動作を記載する。直線状の白い矢は、アンロック時の部品の相対運動を表わす。図３４を除く、図３３乃至図３８の全ては、３つの部品を含む。図３４は４つの部品：（３９）、（４０）、（４１）、及び（４２）を含む。第１部品（３９）は、図３６及び図３７を除く全ての図においてアンロックするためのプッシュプルのために、他の部品に対して相対的に移動する必要が無く、これは、これらの後者の図において、（１）又は（２）が、ガイド（３）及び（４）に対して相対的に回転することができるためである。図３７の挿入において示されるように、（１）は、回転ガイド（４３）に対して相対的に摺動する。図３３及び図３８は、直線状のプッシュプルを含む。プッシュプルは、図３４、図３６、及び図３７に関して平行回転である。プッシュプルは、図３５に関しては垂直回転である。図３４及び図３５において、回転軸が（１）を通り抜けないことに注意されたい。全ての場合に、部品は形成され得、及び／又は、部品間の製造許容差のため、部品間の摩擦を増大し、且つ部品間の幾つかの自由動作を減少するために、圧縮弾性を備えた材料が使用され得る。図３３乃至図３５において、プッシュプルがアンロックされると、（１）は第１部品（３９）又は第２部品（４０）の何れかの中にある。これは恣意的なものであり；逆の場合もある。末端（４４）は、ロック又はアンロックの過程の間、非環状開口部（４５）及び（４６）の両方において摺動する。ロック時に、開口部（４５）及び（４６）は、末端（４４）が（４６）ではなく（４５）の内部で摺動できるような方法で配向され；故に、３つ全ての部品をロックする。図３８は、第２及び第３の部品がヒンジによって連結される実施形態の、特殊なケースの例の斜視図である。
【００２８】
制限された直線状のプッシュプル、多層及び多部品のプッシュプルは、「フック長手方向ブロッキング」システム、「レール長手方向ブロッキング」システム、「垂直長手方向ブロッキング」システムを使用することができ、及び／又は「多数の固定面」システムによって使用され得る。多数の固定面システムは、「フック長手方向ブロッキング」システム、「レール長手方向ブロッキング」システム、「垂直長手方向ブロッキング」、多層及び多部品のプッシュプルを使用することができる。摺動プラットフォームは、「フック長手方向ブロッキング」システム、「レール長手方向ブロッキング」システム、及び／又は「垂直長手方向ブロッキングシステム」を使用することができる。
【図１】
2020092268.tif 000003
【図２】
2020092268.tif 000004
【図３】
2020092268.tif 000005
【図４】
2020092268.tif 000006
【図５】
2020092268.tif 000007
【図６】
2020092268.tif 000008
【図７】
2020092268.tif 000009
【図８】
2020092268.tif 000010
【図９】
2020092268.tif 000011
【図１０】
2020092268.tif 000012
【図１１】
2020092268.tif 000013
【図１２】
2020092268.tif 000014
【図１３】
2020092268.tif 000015
【図１４】
2020092268.tif 000016
【図１５】
2020092268.tif 000017
【図１６】
2020092268.tif 000018
【図１７】
2020092268.tif 000019
【図１８】
2020092268.tif 000020
【図１９】
2020092268.tif 000021
【図２０】
2020092268.tif 000022
【図２１】
2020092268.tif 000023
【図２２】
2020092268.tif 000024
【図２３】
2020092268.tif 000025
【図２４】
2020092268.tif 000026
【図２５】
2020092268.tif 000027
【図２６】
2020092268.tif 000028
【図２７】
2020092268.tif 000029
【図２８】
2020092268.tif 000030
【図２９】
2020092268.tif 000031
【図３０】
2020092268.tif 000032
【図３１】
2020092268.tif 000033
【図３２】
2020092268.tif 000034
【図３３】
2020092268.tif 000035
【図３４】
2020092268.tif 000036
【図３５】
2020092268.tif 000037
【図３６】
2020092268.tif 000038
【図３７】
2020092268.tif 000039
【図３８】
2020092268.tif 000040
【図３９】
2020092268.tif 000041
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
第１部品および第２部品が互いに強固に結合するための機構であって、
第１磁気部（１０１）を備え、第１部品に一体になっているかまたは取り付けられている第１構成要素（１００）；
第２部品に一体になっているかまたは取り付けられている第２構成要素（１０２）；及び
第２磁気部（１０６）を備える第３構成要素（１０３）であって、該第３構成要素（１０３）は、第１及び第２の磁気部の相対的な移動を生じさせるために第１及び第２の磁気部の磁気的な相互作用を引き起こすことにより、第１及び第２の構成要素の接続及び／又は分離を達成するための与えられた方向で、前記第１構成要素に対して移動自在であり、ここで、接続時に、第１及び第２の構成要素は、前記与えられた方向で互いに対して移動することができる、第３構成要素（１０３）；を含む機構であって、
第４構成要素（１０４）であって、該第４構成要素（１０４）は、前記与えられた方向への第１及び第２の構成要素の相対的な移動の結果として前記与えられた方向への第１構成要素（１００）に対する第３構成要素（１０３）の移動を防ぎ、それにより、第１及び第２の構成要素の意図しない分離を防ぐための、前記第１構成要素（１００）との係合のためのものである、第４構成要素（１０４）を含み、
前記第１磁気部及び前記第２磁気部の相互作用の結果として生じる第３構成要素の移動は、同じ方向に第４構成要素の連なった移動を結果としてもたらさないような移動である、ことを特徴とする請求項１に記載の機構。
、ことを特徴とする、機構。
【請求項２】
前記与えられた方向は回転方向である、ことを特徴とする請求項１に記載の機構。
【請求項３】
第３又は第４の構成要素は、第１及び第２の構成要素の内部、又はその周囲で摺動し、第１構成要素に接続されると、第３又は第４の構成要素は第１及び第２の構成要素をまたぐ、ことを特徴とする請求項１に記載の機構。
【請求項４】
磁気部の１つは、他の磁気部の内部、又はその周囲で摺動し、機構は更に、摺動する磁気部のためのガイドとして作用する第５構成要素を含み、それにより、磁気部が係合されると、摺動する磁気部が第５構成要素及び他の磁気部をまたぐ、ことを特徴とする請求項１に記載の機構。
【請求項５】
前記与えられた方向は直線方向である、ことを特徴とする請求項１に記載の機構。
【請求項６】
前記第１磁気部及び前記第２磁気部の１つ又は両方は、複数の反対に配向したダイポールを含む、ことを特徴とする請求項１に記載の機構。
【請求項７】
前記第１磁気部及び前記第２磁気部の少なくとも１つは、前記第１磁気部及び前記第２磁気部の前記相互作用により、第３構成要素が第１構成要素に機械的に固定される位置への、ガイドに沿った磁気部の移動が生じるように、対応する第１又は第３構成要素に設けられたガイドによって移動自在に保持される、ことを特徴とする請求項１に記載の機構。  
【請求項８】
前記第１磁気部は、前記第４構成要素と前記第１構成要素を係合するために、第２磁気部の効果の下、第１構成要素における第１磁気部を除く残りの部分に対して移動自在である、ことを特徴とする請求項１に記載の機構。
【請求項９】
前記与えられた方向での前記相対的な移動により、第１及び第３の構成要素を互いにロック及びアンロックするための機械的ロックを更に含む、請求項１に記載の機構。
【請求項１０】
前記第４構成要素は、前記第１構成要素における第１磁気部を除く残りの部分に対する移動のために前記第１磁気部に取り付けられる、ことを特徴とする請求項１に記載の機構。
【請求項１１】
前記第４構成要素は、前記第２構成要素が前記与えられた方向で前記第４構成要素に対して移動できるように、前記第２構成要素に取り付けられる、ことを特徴とする請求項１に記載の機構。
【請求項１２】
前記第１構成要素及び前記第４構成要素は、与えられた方向での相対的な移動を妨げるための、相互係合機械的機能を含む、ことを特徴とする請求項１に記載の機構。
【請求項１３】
第１部品及び第２部品を含む装置であって、第１部品は、少なくとも２つの固定位置にて第２部品に取り付けられ、前記装置は、前記少なくとも２つの固定位置の１つの固定位置において第１部品を固定するために請求項１の機構を含み、
前記第１の構成要素（１００）は第１部品に一体になっているかまたは取り付けられ、第２構成要素（１０２）は前記第２部品に一体になっているかまたは取り付けられている装置。
【外国語明細書】
2020092268000001.pdf